(57)【要約】      （修正有）【課題】飲料の摂取が可能で、暑苦しさを低減させる衛生マスクを提供する。【解決手段】衛生マスクは、左右に配置された対称構造の右側部２１と左側部２２のそれぞれの対向する縁部を円弧状に接合して、着用時に鼻口部において前方に膨出するような立体形状に造形されたマスク本体１１を備える。右側部と左側部の接合部に口部に対向する開口部１２が形成され、開口部を覆う被覆材１６がマスク本体に重合状態で右側部及び左側部のいずれか一方に取付けられる。被覆材はマスク本体と同一材料から成り、開口部の長さは少なくとも８ｃｍである。また、被覆材の重合状態を維持する留め具１７が設けられる。【選択図】図１
0003229410.tif 000002
【実用新案登録請求の範囲】
【請求項１】
左右に配置された対称構造の右側部(21)と左側部(22)のそれぞれの対向する縁部を円弧状に接合して、着用時に鼻口部(N,M)において前方に膨出するような立体形状に造形されたマスク本体(11)を備えた衛生マスクにおいて、
右側部(21)と左側部(22)の接合部に口部(M)に対向する開口部(12)が形成され、
前記開口部(12)を覆う被覆材(16)が前記マスク本体(11)に重合状態で前記右側部(21)及び前記左側部(22)のいずれか一方に取付けられた
ことを特徴とする衛生マスク。
【請求項２】
被覆材(16)がマスク本体(11)と同一材料から成る請求項１記載の衛生マスク。
【請求項３】
開口部(12)の長さが少なくとも８ｃｍある請求項１又は２記載の衛生マスク。
【請求項４】
開口部(12)を覆う被覆材(16)の上縁と下縁が右側部(21)と左側部(22)の双方に延びて接合された請求項１ないし３いずれか１項に記載の衛生マスク。
【請求項５】
被覆材(16)の上縁と下縁の接合の間隔が右側部(21)及び左側部(22)のいずれか他方に向かって減少するように前記上縁の接合及び前記下縁の接合のいずれか一方又は双方が傾斜する請求項４記載の衛生マスク。
【請求項６】
右側部(21)及び左側部(22)のいずれか他方に重合する被覆材(16)に前記被覆材(16)の重合状態を維持する留め具(17)が設けられた請求項１ないし５いずれか１項に記載の衛生マスク。
【請求項７】
右側部(21)及び左側部(22)のいずれか他方に重合する被覆材(16)の縁が膨出して形成され、留め具(17)が前記被覆材(16)の膨出端に設けられた請求項６記載の衛生マスク。
【請求項８】
留め具(17)が雄パーツ(17a)と雌パーツ(17b)から成るバネホックであり、被覆材(16)に雄パーツ(17a)が取付けられ、前記雄パーツ(17a)に対向する右側部(21)及び左側部(22)のいずれか他方に雌パーツ(17b)が取付けられた請求項６又は７記載の衛生マスク。
【考案の詳細な説明】
【技術分野】
【０００１】
本考案は、かぜや花粉症、あるいは清掃の際等に用いられる衛生マスクに関するものである。
【背景技術】
【０００２】
従来、衛生マスクとして、方形状の綿ガーゼの両側に耳掛けが設けられたものが知られている（例えば、特許文献１参照。）。このような衛生マスクは、その両側における耳掛けを着用者の左右の耳に掛け回すことにより着用され、その綿ガーゼは、その着用者の顔面の鼻部や口部を覆うマスク本体となるものである。
【０００３】
そして、このような衛生マスクは、マスク本体を通過して濾過された空気を吸引し、又は着用者が吐出した空気をマスク本体に通過させて、濾過された空気を外部に放出することになり、風邪・感冒予防、花粉症対策、各種ウイルス、ハウスダスト等塵埃からの防御、鼻腔及び口元の保湿効果等を主な目的として着用されるものである。
【０００４】
一方、このような衛生マスクは、少なくとも着用者の顔面の口部を覆うことから、その衛生マスクを着用した状態での飲料の摂取が不能になる不具合があった。
【０００５】
この点を解消するために、マスク本体が折り畳まれた不織布等から成る場合に、その折り重なる部位に横長の切り込みを入れた衛生マスクが提案されている（例えば、特許文献２参照。）。
【０００６】
この様なマスク本体に切り込みを入れた衛生マスクでは、着用した状態で切り込みを開くことにより、その切り込みを介してのストローでの飲料の摂取が可能となり、飲料の摂取の度に衛生マスクを取り外す必要が無いとしている。
【先行技術文献】
【特許文献】
【０００７】
【特許文献１】特開２００５−１０３２０１号公報
【特許文献２】実用新案登録第３１５７２９９号公報
【考案の概要】
【考案が解決しようとする課題】
【０００８】
しかし、マスク本体が折り畳まれた不織布等から成る衛生マスクでは、装着時にマスク本体の幅方向の中央部分はその折り畳まれた部分が展開されて着用者の鼻口部を覆うことになり、その中央部分に形成された切り込みは何ら覆われること無く表出してしまう不具合がある。
【０００９】
このようにマスク本体に形成された切り込みが表出すると、その切り込みに空気が直接通過してマスク本体による濾過機能が低下し、マスク本体により濾過された吸気を呼吸し、又は吐出された空気を濾過して外部に放出するという衛生マスク本来の機能が損なわれる不具合があった。
【００１０】
また、近年の飲料はいわゆるペットボトルに入れられたものが多く、ストローを介すること無くペットボトルから直接飲料の摂取が可能になれば便利である。
【００１１】
また、このような衛生マスクは、マスク本体と顔面との間に形成される空間に、着用者が吐出した湿気を帯びた空気を留めおくことにより、鼻腔及び口元の保湿効果を保つ働きもあるけれども、暑い夏の盛りに衛生マスクを装着していると、その湿気の高さから暑苦しさを感じる不具合もあった。
【００１２】
この様な暑苦しさを回避するためには、装着不要な場合に衛生マスクを取り外し、必要に応じて再度装着し直すことが行われる。けれども、取り外した場合の衛生マスクの保管や、その取り外しと装着の繰り返しが煩わしい不具合があり、装着した状態であっても、暑苦しさを感じない様であれば便利である。
【００１３】
本考案の目的は、濾過機能を損なうこと無く、飲料の摂取が可能な衛生マスクを提供することにある。
【００１４】
本考案の別の目的は、必要に応じてマスク本体と顔面との間に形成される空間の空気を入れ換えて、暑苦しさを低減し得る衛生マスクを提供することにある。
【課題を解決するための手段】
【００１５】
本考案は、左右に配置された対称構造の右側部と左側部のそれぞれの対向する縁部を円弧状に接合して、着用時に鼻口部において前方に膨出するような立体形状に造形されたマスク本体を備えた衛生マスクの改良である。
【００１６】
その特徴ある構成は、右側部と左側部の接合部に口部に対向する開口部が形成され、開口部を覆う被覆材がマスク本体に重合状態で右側部及び左側部のいずれか一方に取付けられたところにある。
【００１７】
ここで、被覆材はマスク本体と同一材料から成ることが好ましく、開口部の長さが少なくとも８ｃｍあることが好ましい。また、開口部を覆う被覆材の上縁と下縁が右側部と左側部の双方に延びて接合されたことが好ましく、被覆材の上縁と下縁の接合の間隔が右側部及び左側部のいずれか他方に向かって減少するように上縁の接合及び下縁の接合のいずれか一方又は双方が傾斜することが更に好ましい。
【００１８】
また、右側部及び左側部のいずれか他方に重合する被覆材に被覆材の重合状態を維持する留め具が設けられたことが好ましく、右側部及び左側部のいずれか他方に重合する被覆材の縁が膨出して形成された場合、留め具が被覆材の膨出端に設けられたことが好ましい。そして、留め具が雄パーツと雌パーツから成るバネホックであれば、被覆材に雄パーツが取付けられ、雄パーツに対向する右側部及び左側部のいずれか他方に雌パーツが取付けられたことが更に好ましい。
【考案の効果】
【００１９】
本考案の衛生マスクでは、少なくとも着用者の顔面の口部を覆うことから、その衛生マスクを着用した状態での飲料の摂取は不能になる。けれども、本考案の衛生マスクでは、右側部と左側部の接合部に口部に対向する開口部を形成したので、被覆材をマスク本体から離間させるようして開口部を表出させ、その開口部を押し広げることにより、その開口部を介しての飲料の摂取が可能となる。
【００２０】
そして、開口部の長さを少なくとも８ｃｍとすれば、飲料の摂取にあって、その開口部に挿通させたストローでの飲料の摂取に限らず、ペットボトルの飲み口をその開口部に挿通させることも可能となり、ストローを用いること無く、開口部に挿通させた飲み口を介してペットボトルから直接飲料を摂取することが可能となる。これにより、飲料の摂取の度に衛生マスクを取り外す必要をなくすことが出来る。
【００２１】
また、本考案の衛生マスクでは、開口部を覆う被覆材を取付けたので、その被覆材により開口部を覆うことにより、開口部を介した空気の流通は防止される。これにより、通常の使用状態において、マスク本体による濾過機能が低下する様なことは無く、衛生マスク本来の機能を確保することが出来る。
【００２２】
そして、その開口部を覆う被覆材のマスク本体への重合状態を維持する留め具を設ければ、その留め具により、被覆材の浮き上がりは防止され、通常使用時における開口部の表出を確実に防止することが可能となる。
【００２３】
一方、本考案の衛生マスクでは、留め具による被覆材のマスク本体への係止を解消させることにより、開口部を介する空気の流れを生じさせることができる。すると、着用者の通常の呼吸により、マスク本体と顔面との間に形成される空間の空気は入れ換えられることになり、暑い夏の盛りにあっても、開口部を介する空気の流れを生じさせることにより、衛生マスクを装着することに起因する暑苦しさを低減させることができる。
【図面の簡単な説明】
【００２４】
【図１】本実施形態の衛生マスクの正面図である。
【図２】その衛生マスクの側面図である。
【図３】図４のＡ−Ａ線断面図である。
【図４】その衛生マスクを着用した側面図である。
【図５】その衛生マスクの被覆材が取付けられる状態を示す正面図である。
【図６】その衛生マスクのマスク本体の組み立てを示す図である。
【図７】その衛生マスクの開口部を介して飲料を摂取する状態を示す図３に対応する断面図である。
【図８】その衛生マスクの開口部から吐息が排出される状態を示す図３に対応する図である。
【考案を実施するための形態】
【００２５】
次に本考案を実施するための最良の形態を図面に基づいて説明する。
【００２６】
図１及び図２に本考案における衛生マスク１０を示す。この衛生マスク１０は、着用時に着用者Ｃの鼻部Ｎや口部Ｍを覆うマスク本体１１と（図４）、そのマスク本体１１の左右方向両側端に取り付けられた耳掛け３１とを備える。
【００２７】
ここで、図２において、矢印Ａ１で示す方向を前方とし、その反対方向を後方とする。また、図１において、矢印Ａ２で示す方向を上下方向とし、矢印Ａ３で示す方向を左右方向として、本考案の衛生マスク１０を説明する。
【００２８】
この実施の形態におけるマスク本体１１は、左右に配置された対称構造の右側部２１および左側部２２のそれぞれの対向する縁部を円弧状に接合して、着用時に鼻口部Ｎ，Ｍ（図４）において前方に膨出するような立体形状に造形される。
【００２９】
この実施の形態におけるマスク本体１１は布製であって、図３に示す様に、着用時に着用者Ｃ側となる側に設けられた綿ガーゼ２１ａ，２２ａと、着用時に表側となる側に設けられた表面織布２１ｂ，２２ｂとを備え、それらの接合が縫着により行われるものとする。即ち、この実施の形態における右側部２１と左側部２２は、それぞれ、綿ガーゼ２１ａ，２２ａと表面織布２１ｂ，２２ｂとが重ねられて縫着することにより作られるものとする。
【００３０】
着用者Ｃ側となる側に設けられた綿ガーゼ２１ａ，２２ａは、綿繊維を甘く撚った糸を粗めに平織りしたあと、晒して軟らかくに仕上げた生地であって、柔らかく肌触りが良く、吸水性や通気性に優れる生地である。この実施の形態における綿ガーゼ２１ａ，２２ａは、４０番手等の比較的細い糸を平織りしたものが用いられる場合を示すものとする。けれども、綿ガーゼ２１ａ，２２ａの番手等は、これに限定されずに肌触りが良いものが使用されるものとする。
【００３１】
また、着用時に表側となる側に設けられた表面織布２１ｂ，２２ｂは、着用時に表側となることから、立体的形状を維持するためにも、綿ガーゼ２１ａ，２２ａよりも硬い織布であることが好ましい。例えば、この表面織布２１ｂ，２２ｂは綿素材であることが好ましく、具体的には、手ぬぐい用生地や、シーツ用生地や、浴衣用生地などが挙げられる。
【００３２】
この表面織布２１ｂ，２２ｂは、綿ガーゼ２１ａ，２２ａと同様に白色のものを使用することができる。けれども、この表面織布２１ｂ，２２ｂは、図３に示す様に、装着状態で外部に表出するものであるので、装着時における美感を向上させるために柄や模様が印刷されたものであっても良い。
【００３３】
特にこの実施の形態では、表面織布２１ｂ，２２ｂを含むマスク本体１１に後述する被覆材１６を縫着するので、その縫い目ＳＳ，ＳＵ，ＳＬ（図１）をぼかして縫い目ＳＳ，ＳＵ，ＳＬが明確になることに起因する見栄えの悪化を防止するためにも、柄や模様が印刷された表面織布２１ｂ，２２ｂを用いることが好ましい。
【００３４】
図６（ａ）に示す様に、これら綿ガーゼ２１ａ，２２ａと表面織布２１ｂ，２２ｂは、それぞれ先端が円弧状を成すように型紙に合わせて裁断され、それら円弧状の先端縁をそれぞれ円弧状に縫い合わすことにより接合される。このとき、綿ガーゼ２１ａ，２２ａにあっては、先端縁から離れた基端側を先端縁と同方向に折り返して縫い合わせることにより、その基端側のほつれを防止させる。
【００３５】
綿ガーゼ２１ａ，２２ａと表面織布２１ｂ，２２ｂのそれぞれ先端の長さは、図４に示す様に、得られたマスク本体１１を装着した際に、着用者の鼻孔部Ｎ，Ｍを覆うに十分な長さとされる。即ち、図５に示す様に、それら先端の長さは、得られたマスク本体１１の左右方向の中央部における接合部において、その上部が鼻部Ｎを覆い、下部が顎部Ｊを覆う様な長さＬａであって、具体的に、この中央部の上下方向の長さＬａが１５〜１８ｃｍぐらいに成るように裁断されることが好ましい。
【００３６】
図６（ａ）に示す様に、綿ガーゼ２１ａ，２２ａと表面織布２１ｂ，２２ｂの先端縁における縫い合わせは、後述する開口部１２（図５）を除く部分であって、図４に示す鼻部Ｎを覆う上部と、顎部Ｊを覆う下部において行い、口部Ｍに対向する部位の縫い合わせは行わないものとする。この実施の形態では、その先端縁の縫い合わせをしない長さＬｏは、少なくとも８ｃｍはあるものとし、具体的には８ｃｍ〜９ｃｍの長さにおいて縫い合わせを行わないものとする。
【００３７】
その後、これら先端縁の上下が縫い合わされた綿ガーゼ２１ａ，２２ａと表面織布２１ｂ，２２ｂは、図６（ｂ）に示す様に、中表にして重ね合わされて、それらの上縁及び下縁が更に縫い合わされる。その後、内側が外側を向くように反転させて中表とし、縫い合わされた端縁を綿ガーゼ２１ａ，２２ａと表面織布２１ｂ，２２ｂにより挟まれる内側にする。
【００３８】
その後、図５に示す様に、この実施の形態では、綿ガーゼ２１ａ，２２ａと表面織布２１ｂ，２２ｂにより挟まれる右側部２１と左側部２２の上縁に沿ってそれらを貫通するノーズワイヤ１３をそれぞれの内側に挿入し、そのノーズワイヤ１３を挟むように、そのノーズワイヤ１３を通す幅を開けて右側部２１と左側部２２の上部をそれらの上縁に沿って再び縫い合わせる。
【００３９】
また、右側部２１と左側部２２の下縁にあっても、それらを連続させるように縫い合わせ、これにより、綿ガーゼ２１ａ，２２ａと表面織布２１ｂ，２２ｂとが重ねられて作られた右側部２１と左側部２２のそれぞれの対向する縁部が円弧状に接合されたマスク本体１１を得る。
【００４０】
これらの縫い合わせは、予めアイロンを用いて綿ガーゼ２１ａ，２２ａと表面織布２１ｂ，２２ｂとを重ねた状態で双方を充分になじませた後に行われるものとし、実際の縫い合わせにあっては、ミシンを用いた従来からの縫着手段で可能であるけれども、ミシンを用いない、いわゆる手縫いであっても良い。ここで、これらの縫い合わせは、綿ガーゼ２１ａ，２２ａや表面織布２１ｂ，２２ｂの周囲のほつれを防止する必要から、かがり縫いをした後に重ね合わせ又は折り返して直線縫いを行うこともできる。
【００４１】
また、この実施の形態では、図３に示す様に、右側部２１と左側部２２において、着用時に幅方向（左右方向）の両側に位置する表面織布２１ｂ，２２ｂを綿ガーゼ２１ａ，２２ａより長くして、その表面織布２１ｂ，２２ｂの側部を綿ガーゼ２１ａ，２２ａ側に折り返して縫着し、この折り返された表面織布２１ｂ，２２ｂの両側に耳掛け３１が装着されるものとする。
【００４２】
この実施の形態における耳掛け３１は、伸縮自在のゴム紐であって、表面織布２１ｂ，２２ｂの折り返された側部に挿通されて環状に設けられ、その環状のゴム紐を着用者Ｃの耳に掛け回すことにより（図４）、この衛生マスク１０を着用可能に構成され、着用状態でマスク本体１１は着用者Ｃの鼻口部ＭＭを覆うように構成される。
【００４３】
ここで、表面織布２１ｂ，２２ｂの側部の折り返した縫着は表面織布２１ｂ，２２ｂに対して行い、その側部において表面織布２１ｂ，２２ｂと綿ガーゼ２１ａ，２２ａとの間に隙間を生じさせることが好ましい。このようにすれば、この隙間から例えば、シート状の保冷剤１８を表面織布２１ｂ，２２ｂと綿ガーゼ２１ａ，２２ａとの間に挿入することが可能となる。
【００４４】
そして、本考案の特徴ある構成は、右側部２１と左側部２２の接合部に口部Ｍに対向する開口部１２が形成され、その開口部１２を覆う被覆材１６がマスク本体１１に重合状態で右側部２１及び左側部２２のいずれか一方に取付けられたところにある。
【００４５】
図３に示す様に、この実施の形態における右側部２１と左側部２２はそれぞれ綿ガーゼ２１ａ，２２ａと表面織布２１ｂ，２２ｂを有するので、口部Ｍに対向して開口部１２に相当する綿ガーゼ２１ａ，２２ａ同士及び表面織布２１ｂ，２２ｂ同士は縫い合わせることをせずに、その左右に位置する綿ガーゼ２１ａ，２２ａの突き合わせ部及び表面織布２１ｂ，２２ｂの突き合わせ部は互いに内側に折り返して突き合すことにより、開口部１２を形成することになる。
【００４６】
図３及び図５に示す様に、左右に位置して開口部１２を形成する綿ガーゼ２１ａ，２２ａの突き合わせ部及び表面織布２１ｂ，２２ｂの突き合わせ部は、内側に折り返されて重合する状態で、縫い目ＳＲがその開口部１２を包囲する様に縫い合わされる。
【００４７】
即ち、内側に折り返されて突き合せられて開口部１２を構成することになる綿ガーゼ２１ａ，２２ａ及び表面織布２１ｂ，２２ｂの突き合わせ部位は、重合状態で互いに縫い合わされて、その開口部１２において綿ガーゼ２１ａ，２２ａ及び表面織布２１ｂ，２２ｂが互いずれるようなことは防止される。このようにして、右側部２１と左側部２２の接合部に上下方向に延びる少なくとも８ｃｍ、具体的には８ｃｍ〜９ｃｍの長さＬｏの開口部１２が形成される。
【００４８】
一方、この開口部１２を覆う被覆材１６は、開口部１２より大きな布材であって、マスク本体１１と同一材料から成る。即ち、この実施の形態における被覆材１６は、図３に示す様に、マスク本体１１と同様の綿ガーゼ１６ａと表面織布１６ｂを有し、周囲が互いに縫い合わされたものが用いられるものとする。そして、その被覆材１６は、開口部１２を覆った状態で左側部２２に縫い合わされて取付けられる場合を示す。
【００４９】
図１に示す様に、被覆材１６を左側部２２に縫い合わせた縫い目ＳＳは開口部１２に沿って上下方向に延びて形成され、この実施の形態では、被覆材１６の上縁と下縁にあっても縫着されるものとし、この上縁と下縁は、右側部２１と左側部２２の双方に延びて縫着されるものとする。この実施の形態では、被覆材１６の上縁の縫い目ＳＵと下縁の縫い目ＳＬは、その間隔が左側部２２から右側部２１に向かって減少するように上縁の縫着と下縁の縫着の双方がそれぞれ傾斜して成されるものとする。
【００５０】
また、この被覆材１６は、左側部２２に縫い合わされる一方の縁は上下方向に真っ直ぐな直線になるように形成され、右側部２１に重合して縫い合わされない他方の縁は幅方向の外側、即ち右側に膨出する様な山型に形成され、その山型に膨出した膨出端に留め具１７が取付けられる。
【００５１】
この留め具１７は、開口部１２を覆った状態で左側部２２に縫い合わせた被覆材１６の右側を、その右側部２１に重合させた状態で維持し、その右側部２１から被覆材１６が離間しないようにするものであって、この実施の形態における留め具１７は、図３の拡大図に示す様に、雄パーツ１７ａと雌パーツ１７ｂから成るバネホックである。この留め具１７であるバネホックは、被覆材１６の山型の膨出端に雄パーツ１７ａが縫着されて取付けられ、その雄パーツ１７ａに対向する右側部２１に雌パーツ１７ｂが縫着されて取付けられるものとする。
【００５２】
被覆材１６は可撓性を有する布材からなり、開口部１２を覆った状態でマスク本体１１を構成する一方の左側部２２に縫着されており、留め具１７であるバネホックは、雌パーツ１７ｂから雄パーツ１７ａを離脱させることが出来るので、雌パーツ１７ｂから雄パーツ１７ａを離脱させた状態で、マスク本体１１を構成する他方の右側部２１に重合する被覆材１６の右側をその右側部２１から離間させるように折り返すことにより、開口部１２を開放可能に構成される（図７）。
【００５３】
次に、本考案における衛生マスクの作用と使用方法について説明する。
【００５４】
本考案における衛生マスク１０の不使用時には、マスク本体１１における円弧状の縫着部である先端部を境に右側部２１と左側部２２を重ねることにより、２つ折りにすることが可能となり、その二つ折りされた状態で保管されるものである。
【００５５】
そして、その使用時には、マスク本体１１を構成する右側部２１と左側部２２を広げて、図４に示す様に、そのマスク本体１１を着用者Ｃの鼻口部Ｎ，Ｍ及び顎部Ｊに被せ、耳掛け３１である環状のゴム紐を着用者Ｃの耳に掛け回すことにより着用状態と成り、マスク本体１１を、その着用時に鼻口部Ｎ，Ｍにおいて上下間にわたって湾曲状に前方へ膨出するような立体形状とする。
【００５６】
図３に示すように、この衛生マスク１０の着用にあっては、留め具１７における雌パーツ１７ｂに雄パーツ１７ａを係止させて、被覆材１６の右側を右側部２１に重合させた状態で維持させつつ、右側部２１と左側部２２が離間したマスク本体１１を顔面に密着させることになる。
【００５７】
すると、マスク本体１１は、その着用時の鼻口部Ｎ，Ｍを覆うので、着用者Ｃは、そのマスク本体１１を通して空気を吸い込むことになり、そのマスク本体１１において空気中の異物を捕捉・分離することができ、異物が鼻および口に侵入するのを防ぐという衛生マスク１０に要求される本来の機能を発揮することになる。
【００５８】
この実施の形態では、マスク本体１１の中央部が前方に突出する立体形状にしたので、この衛生マスク１０の着用時において、着用者Ｃの顔面の鼻口部Ｎ，Ｍとマスク本体１１の間に空間が生じるので、その呼吸は容易となり、被覆材１６が開口部１２を塞ぐので、開口部１２を介する空気の流れは防止され、その空気の流れが生じることに依る衛生マスク１０の本来の機能を害するようなことは無い。
【００５９】
ここで、被覆材１６はマスク本体１１と同一材料から成るので、被覆材１６の存在が際立つことに依る外観上の見栄えの悪化は防止される。また、被覆材１６の取付けが縫着により行われているので、開口部１２を覆う被覆材１６の上縁と下縁を右側部２１と左側部２２の双方に延びて縫着することにより、被覆材１６のマスク本体１１からの不要な浮き上がりが防止され、被覆材１６の上縁と下縁の縫着の間隔が右側部２１及び左側部２２のいずれか他方に向かって減少するようにすれば、その不要な浮き上がりを効果的に防止することが出来る。
【００６０】
そして、右側部２１及び左側部２２のいずれか他方に重合する被覆材１６に被覆材１６の重合状態を維持する留め具１７を設けているので、その留め具１７により、被覆材１６の浮き上がりは確実に防止され、通常使用時における開口部１２の表出を効果的に防止することが可能となる。
【００６１】
ここで、右側部２１及び左側部２２のいずれか他方に重合する被覆材１６の縁を膨出して形成しているので、被覆材１６の膨出端に留め具１７を取付けることにより、留め具１７の取付け位置を確保することができ、留め具１７が雄パーツ１７ａと雌パーツ１７ｂから成るバネホックであるので、留め具１７の存在を認識させることは少なく、外観上の見栄えの悪化を防止しつつ、その係止及び離脱を容易とすることができる。
【００６２】
この衛生マスク１０を着用すると、着用者Ｃの顔に接触する部位には、比較的軟らかく、肌触りの良い、従来から用いられている綿ガーゼ２１ａ，２２ａを配置しているので、従来のものと同様に、着用時に違和感を生じさせることはない。そして、綿ガーゼ２１ａ，２２ａより堅い表面織布２１ｂ，２２ｂを綿ガーゼ２１ａ，２２ａに重ねた状態で立体的に縫製しているので、肌触りを害することなく、その表面織布２１ｂ，２２ｂによりマスク本体１１の立体的形状を維持することが可能となる。
【００６３】
また、図４に示す様に、マスク本体１１が覆う着用者Ｃの鼻部Ｎは前方へ突出するので、その鼻部Ｎの頬に連続する両側に凹みが生じることになる。このように、鼻部Ｎの両側における凹部にはマスク本体１１との間に隙間が生じ易いので、ノーズワイヤ１３を鼻部Ｎの形状に折り曲げて、マスク本体１１の上縁をその鼻部Ｎの形状に一致させて、その上縁の密着の程度を向上させることになる。
【００６４】
一方、このような衛生マスク１０は、少なくとも着用者Ｃの顔面の口部Ｍを覆うことから、その衛生マスク１０を着用した状態での飲料の摂取は不能になる。けれども、本考案の衛生マスク１０では、右側部２１と左側部２２の接合部に口部Ｍに対向する開口部１２を形成したので、図７に示す様に、留め具１７による被覆材１６のマスク本体１１への係止を解消させて、被覆材１６をマスク本体１１の他方である右側部２１から持ち上げて開口部１２を表出させ、その開口部１２を押し広げることにより、その開口部１２を介しての飲料の摂取が可能となる。
【００６５】
この実施の形態では、被覆材１６が左側部２２に縫い合わされて取付けられるので、右手による被覆材１６の右側部２１からの離脱が容易となり、特に右利きの方に便利となる。
【００６６】
そして、この飲料の摂取にあっては、その開口部１２に挿通させたストローでの飲料の摂取に限らず、開口部１２の長さを少なくとも８ｃｍとしたので、ペットボトル１９の直径が２〜３ｃｍの飲み口１９ａをその開口部１２に挿通させることも可能となり、開口部１２に挿通させた飲み口１９ａを介してペットボトル１９から直接飲料を摂取することにより、ストローを用いること無く、飲料の摂取が可能となる。これにより、飲料の摂取の度に衛生マスク１０を取り外す煩わしさをなくすことが出来る。
【００６７】
また、本考案の衛生マスク１０は立体的形状を有するため、マスク本体１１と顔面との間に形成される空間に、着用者Ｃが口部Ｍから吐出した湿気を帯びた空気が溜まり、暑い夏の盛りには暑苦しさを感じることもある。このため、従来では、装着不要な場合には衛生マスクを取り外す様なことが行われる。
【００６８】
けれども、本考案の衛生マスク１０では、右側部２１と左側部２２の接合部に口部Ｍに対向する開口部１２を形成したので、留め具１７による被覆材１６のマスク本体１１への係止を解消させることにより、その開口部１２を介する空気の流れが生じ、暑苦しさは低減されることになる。
【００６９】
即ち、留め具１７による被覆材１６のマスク本体１１への係止を解消させても、着用者Ｃが空気を吸引すると、マスク本体１１と口部Ｍとの間の空間は負圧となり、図３に示す様に被覆材１６はその吸引によりマスク本体１１に密着して、マスク本体１１の濾過機能は確保されることになる。
【００７０】
その一方、着用者Ｃが口部Ｍから息を吹き出すと、図８に示す様に、開口部１２から吹き出される息により、被覆材１６はマスク本体１１の他方である右側部２１から持ち上げられ、開放された開口部１２からその息が排出され、マスク本体１１と口部Ｍとの間の空間に着用者Ｃが吐出した湿気を帯びた空気が溜まる様なことは回避される。
【００７１】
そして、次に着用者Ｃが空気を吸引すると、その間の空間にマスク本体１１により濾過された空気が溜まることに成る。これにより、着用者Ｃの通常の呼吸により、マスク本体１１と顔面との間に形成される空間の空気は常に入れ換えられて、暑苦しさは低減されることになる。
【００７２】
特に、この実施の形態では、マスク本体１１が布製であって、綿ガーゼ２１ａ，２２ａと表面織布２１ｂ，２２ｂとを重ねているので、マスク本体１１の左右方向の両側から、それらの間に保冷剤１８を挿入させることも可能となり、暑い夏の盛りには、それらの間に保冷剤１８を挿入させると、マスク本体１１が接触する部位を冷却することになり、暑苦しさを更に低減させることも可能となる。
【００７３】
従って、本考案の衛生マスク１０では、装着した状態であっても、留め具１７による被覆材１６のマスク本体１１への係止を解消させることにより暑苦しさを感じない様にすることが出来、衛生マスクを装着不要な場合に衛生マスクを取り外すことに起因する保管や、その取り外しと装着の繰り返しなどの煩わしさを回避することが可能となる。
【００７４】
なお、上述した実施の形態では、耳掛け３１が伸縮自在のゴム紐であって、表面織布２１ｂ，２２ｂの折り返された基端に挿通されて環状に設けられる場合を説明した。けれども、この耳掛け３１は、ゴム紐に限らず、伸縮自在な合成繊維から成る織布や不織布を用いるようにしても良い。
【００７５】
また、上述した実施の形態におけるマスク本体１１は、布製であって、対称構造の右側部２１と左側部２２の対向する縁を円弧状に縫着することによりそれらを接合して立体形状に造形する場合を説明した。けれども、マスク本体１１の材質は布に限らず、立体網目構造を有するポリウレタンなどの化学物質であっても良い。この場合の接合は、溶着や接着などにより行うことが出来る。
【００７６】
また、上述した実施の形態では、留め具１７としてバネホックが用いられる場合を説明したけれども、留め具１７はこれに限らず、マスク本体１１への被覆材１６の重合状態を維持しうる限り留め具１７は他のもの、例えばカギホック等であっても良い。
【００７７】
また、上述した実施の形態では、留め具１７が取付けられる被覆材１６の縁が山型に膨出する場合を説明したけれども、膨出させなくても良く、膨出させる場合、膨出の形状は、山型に限らず、円弧状であっても良く台形状であっても良い。
【００７８】
また、上述した実施の形態では、被覆材１６の上縁と下縁の縫着による接合の双方を傾斜させる場合を説明した。けれども、それらの間隔が右側部２１及び左側部２２のいずれか他方に向かって減少する限り、いずれか一方のみ傾斜させるようにしても良い。
【００７９】
更に、上述した実施の形態では、被覆材１６が左側部２２に縫い合わされて取付けられる場合を説明したが、被覆材１６は右側部２１に取付けるようにしても良い。すると、左手で被覆材１６の左側部２２からの離脱が容易となり、特に左利きの方に便利な衛生マスク１０となる。
【符号の説明】
【００８０】
１０  衛生マスク
１１  マスク本体
１２  開口部
１６  被覆材
１７  バネホック（留め具）
１７ａ  雄パーツ
１７ｂ  雌パーツ
２１  右側部
２２  左側部
Ｎ  鼻部
Ｍ  口部
【図１】
0003229410.tif 000003
【図２】
0003229410.tif 000004
【図３】
0003229410.tif 000005
【図４】
0003229410.tif 000006
【図５】
0003229410.tif 000007
【図６】
0003229410.tif 000008
【図７】
0003229410.tif 000009
【図８】
0003229410.tif 000010